(57)【要約】  本発明は内燃機関駆動のボルト打込装置（１）の燃料容器に関し、ハウジングと燃料を収容するハウジング内室を有する燃料容器に関する。ボルト打込装置の駆動をさらに容易にするために、ハウジング内室に、ハウジング内室の少なくとも１つの状態変数を検出するセンサ装置が配設されている。【選択図】  図１
2014519990.tif 000002
【特許請求の範囲】
【請求項１】
ハウジング（２８）と燃料を収容するハウジング内室とを備える、内燃機関駆動のボルト打込装置（１）のための燃料容器であって、
前記ハウジング内室での少なくとも１つの状態変数を検出するセンサ装置（３５）が前記ハウジング内室に設けられていることを特徴とする燃料容器。
【請求項２】
請求項１に記載の燃料容器において、
前記ハウジング内室に、センサ装置（３５）および／または信号生成装置を備えた電子システム（３４）が配設されていることを特徴とする燃料容器。
【請求項３】
請求項１に記載の燃料容器において、
前記ハウジング内室におけるセンサ装置（３５）が、燃料容器（８；３８）の外側に取り付けられた電子システムに接続されていることを特徴とする燃料容器。
【請求項４】
請求項２または３に記載の燃料容器において、
前記センサ装置（３５）もしくは電子装置（３４）が、ハウジング内室における燃料容器の状態変数である、燃料温度、燃料圧力、燃料充填状態、および混合比、の少なくとも1つ以上あるいは全てが検出されるように構成されていることを特徴とする燃料容器。
【請求項５】
請求項２乃至４のいずれか１項に記載の燃料容器において、
前記電子システム（３４）が、記憶ユニットを有するかまたは有しないマイクロコントローラを備えることを特徴とする燃料容器。
【請求項６】
請求項２乃至５のいずれか１項に記載の燃料容器において、
前記電子システム（３４）が、通信インタフェースを備えることを特徴とする燃料容器。
【請求項７】
請求項２乃至６のいずれか１項に記載の燃料容器において、
前記電子システム（３４）が、アンテナを備えることを特徴とする燃料容器。
【請求項８】
請求項１乃至７のいずれか１項に記載の燃料容器において、
前記センサ装置（３５）が複数のセンサを備え、および／または前記信号生成装置が複数の信号生成器を備えることを特徴とする燃料容器。
【請求項９】
請求項１乃至８のいずれか１項に記載の燃料容器において、
前記ハウジング（２８）が液化ガスを収容するカートリッジとして構成されていることを特徴とする燃料容器。
【請求項１０】
請求項１乃至９のいずれか１項に記載の燃料容器（８；３８）を有するボルト打込装置であって、前記燃料容器が燃焼室（１２）に接続可能かもしくは接続されており、前記ハウジング内室のセンサ装置（３５）に通信技術的、制御的および／または調整技術的に接続された電子制御部（２０）に接続可能かもしくは接続されていることを特徴とするボルト打込装置
【請求項１１】
請求項１０に記載のボルト打込装置（１）の駆動方法であって、
前記ハウジング内室の少なくとも１つの状態変数が検出されることを特徴とする方法。
【請求項１２】
請求項１１に記載の方法において、
前記ボルト打込装置（１）において検出された前記状態変数が、少なくとも１つのボルト打込装置（１）の機能を制御および／または調整するために用いられることを特徴とする方法。
【請求項１３】
請求項１１または１２に記載の方法において、
検出された前記状態変数が、診断のため、供給量の調整のため、点火時期の調整のため、および／または燃料容器（８；３８）の充填状態の表示のために用いられることを特徴とする方法。
【発明の詳細な説明】
【技術分野】
【０００１】
本発明は内燃機関駆動のボルト打込装置の燃料容器に関し、ハウジングと燃料を収容するハウジング内室を有する燃料容器に関する。さらに、本発明はこのような燃料容器を有するボルト打込装置に関する。さらにこれに加えて、本発明はこのようなボルト打込装置を駆動するための方法に関する。
【背景技術】
【０００２】
特許文献１には、ハウジングおよび燃料を収容するためのハウジング内室を備えた、内燃機関駆動のボルト打込装置のための燃料容器が開示されている。
この燃料容器には、データ記憶／認識ユニットが設けられており、このユニットで燃料の充填状態のデータを記録することが可能であり、また読み出すことが可能である。
【先行技術文献】
【特許文献】
【０００３】
【特許文献１】ドイツ国特許第１０３１９６４６号
【発明の概要】
【発明が解決しようとする課題】
【０００４】
本発明の課題は、請求項１の前文に記載されたボルト打込装置の駆動をさらに容易にすることである。
【課題を解決するための手段】
【０００５】
上記の課題は、ハウジングおよび燃料を収容するハウジング内室を有する、内燃機関駆動のボルト打込装置のための燃料容器において、このハウジング内室での少なくとも１つの状態変数（Zustandsgrose）を検出するセンサ装置（Sensoreinrichtung）がこのハウジング内室に設けられることにより解決される。
このボルト打込装置は、好ましくは携帯可能な小型装置として実現される。固定部品の打込みには、好ましくはガスが燃料として用いられる。この燃料容器からの燃料は、ボルト打込装置の燃焼室で酸素もしくは空気と混合され点火可能な混合体となる。この点火可能な混合体が点火されると、爆発して瞬時に動作ピストンを駆動する。本発明による、燃料容器のハウジング内室におけるセンサ装置によって、簡単な方法で正確な燃料の状態把握が可能となる。このセンサ装置は、燃料の充填の際あるいは燃料容器の製造の際にこの容器に組み込むことができる。このセンサ装置を用いて、燃料における所望の状態変数を検出することができる。
【０００６】
この燃料容器の１つの好ましい実施形態例は、ハウジング内室に、センサ装置および／または信号生成装置を備えた電子システムが配設されることを特徴とする。このハウジング内室における電子システムを用いて、センサ装置もしくは信号生成装置から供給されるセンサ値もしくは信号がハウジング内室でさらに処理され、あるいはボルト打込装置のさらなる処理ユニットに伝送される。
【０００７】
燃料容器のさらにもう１つの好ましい実施形態例は、ハウジング内室におけるセンサ装置および／または信号生成装置が、燃料容器の外側に取り付けられた電子システムに接続されることを特徴とする。ハウジング内室で検出されたセンサ値もしくは信号は、たとえば無線接続によって、配線を用いずに、燃料容器の外側に取り付けられた電子システムに伝送することができる。
【０００８】
燃料容器のさらにもう１つの好ましい実施形態例は、センサ装置もしくは電子装置が、ハウジング内室における燃料容器の状態変数である、燃料温度、燃料圧力、燃料充填状態、および混合比、の少なくとも1つ以上あるいは全てが検出されるように構成される。これらの状態変数は、ボルト打込装置の外側に表示されてよい。有利には、これらの状態変数は、ボルト打込装置の動作の経過を操作もしくは制御するために用いられてよい。
【０００９】
燃料容器のさらにもう１つの好ましい実施形態例は、電子システムが記憶ユニットを有するかまたは有しないマイクロコントローラを備えることを特徴とする。この記憶ユニットは、センサ装置で検出されたセンサ値を永久あるいは一時的に記憶することを可能とする。
【００１０】
燃料容器のさらにもう１つの好ましい実施形態例は、電子システムが通信インタフェースを備えることを特徴とする。この通信インタフェースは、たとえば、センサ装置により検出されたセンサ値および／または信号生成装置により生成された信号を配線なしで、たとえば無線を介して、あるいは密着接触による接続により、燃料容器外側に配設されたボルト打込装置の装置電子回路へ伝送する。
【００１１】
燃料容器のさらにもう１つの好ましい実施形態例は、電子システムがアンテナを備えることを特徴とする。このアンテナは、燃料容器から突出しているか、あるいは燃料容器のハウジングに組み込まれている。
【００１２】
燃料容器のさらにもう１つの好ましい実施形態例は、センサ装置が複数のセンサを備え、および／または信号生成装置が複数の信号生成器を備えることを特徴とする。これらのセンサおよび／または信号生成器は、電子システムに組み込まれてよい。これらのセンサあるいは信号生成器は、電子システムの外側に配設されてもよく、これに対応した信号配線あるいは無線により電子システムと接続されてよい。
【００１３】
燃料容器のさらにもう１つの好ましい実施形態例は、ハウジングが液化ガスを収容するカートリッジとして実現されることを特徴とする。このような燃料容器は、ガス缶（Gasdose）あるいはガスカートリッジ（Gaskartusche）と呼ばれている。このガス缶あるいはガスカートリッジは、好ましくは再使用可能な缶または再使用可能なカートリッジとして実現される。
【００１４】
上記に示した課題は、代替または追加として前述の燃料容器を有するボルト打込装置によって解決され、この燃料容器は燃焼室に接続可能かもしくは接続されており、ハウジング内室のセンサ装置に通信技術的、制御的（steuerungsmasig）および／または調整技術的（regelungstechnisch）に接続される電子制御部（elektronischen Steuerung）に接続される。ハウジング内室のセンサ装置とボルト打込装置の電子制御部の間の接続は、好ましくはハウジング内室または燃料容器外側に取り付けることができる電子システムを介して行われる。
【００１５】
上記のボルト打込装置の駆動方法においては、上記の課題は、代替あるいは追加でハウジング内室における少なくとも１つの状態関数を検出することにより解決される。検出された状態関数は、このボルト打込装置において、好ましくは、ボルト打込装置の少なくとも１つの機能を制御および／または調整するために用いられる。この際、検出された状態関数は、有利には、診断目的、供給量の調整、点火時期の調整および／または燃料容器の充填状態の表示に利用される。
【００１６】
本発明のさらなる利点、特徴および個別の特徴について、以下に図を参照して、種々の実施形態例を個別に説明する。
【図面の簡単な説明】
【００１７】
【図１】ボルト打込装置の概略図である。
【図２】伝送ケーブルによって図１に示すボルト打込装置の装置電子回路と接続された燃料容器の概略図である。
【図３】図２と同様に、無線を介して燃料容器と接続された装置電子回路の概略図である。
【発明を実施するための形態】
【００１８】
図１は、本発明による、ハウジング２を有するボルト打込装置１を極めて単純化して示したものである。ハウジング２は把持部４を備え、ここでボルト打込装置１が固定部材を打ち込むために掴持することができる。この固定部材は、ボルト打込装置１からボルト打込端部５に引き出され、基材に打ち込むことができる。
【００１９】
使用される固定部材は、好ましくは装置内部のマガジン６によって準備され、このマガジンは、ボルト打込装置１のボルト打込端部５の近傍に設けられる。このマガジン６から、固定部材が、好ましくは１個づつ自動的に、取り出されてボルト打込端部に装？される。
【００２０】
固定部材の基板への打込に必要なエネルギーは、燃料容器８に準備される。この燃料容器は、ガスカートリッジあるいはガス缶として実現される。この燃料容器８は、調節可能（verstellbar）すなわち調整可能（regelbar）なカートリッジバルブ１０とガス導管１１を介して、燃焼室（Brennkammer）すなわち燃焼空間（Brennraum）１２に接続可能である。
【００２１】
この燃焼室１２で、燃料容器８からのガスが空気と共に燃焼可能な混合体に混合される。ボルトまたは釘のような固定部材を基材に打ち込むために、この混合体は点火される。この打込に必要なエネルギーは、たとえば（不図示の）動作ピストンによって、燃焼室１２からボルト打込端部５の固定部材に伝達される。
【００２２】
燃焼室１２には、装置１４が配設されている。この装置は、燃焼室１２で乱流を発生し、この燃焼室１２を洗浄および／または冷却するために機能する。この装置１４は、電動モータ１８で駆動されるベンチレータ１５を備える。この電動モータ１８は、電子式制御装置２０によって制御される。
【００２３】
この電子式制御装置２０から燃焼室まで、イグニションケーブル２１が延びている。このイグニションケーブルによって、点火可能な混合体が燃焼室１２で点火される。
【００２４】
電動モータ１８は、モータ制御配線２２を介して同様に電子式制御装置２０に接続されている。さらに、電動モータ１８に駆動エネルギーを供給する電気エネルギー貯蔵装置２４が、この制御装置２０に接続されている。
【００２５】
図２および３には、燃料容器８または３８および制御装置のみが、本発明の２つの異なる実施形態例により示されている。燃料容器８または３８は、ハウジング２８を有するガスカートリッジとして実現されており、このハウジングは実質的に真っ直ぐに延びた円柱側面を備えている。ハウジング２８の一方の端部は、底部２９で封止されている。ハウジング２８のもう一方の端部は、接続装置３０を備えている。この接続装置は、好ましくは、これに適合したバルブ装置と組み合わせて、ガス配管１１を介して燃料容器８または３８からボルト打込装置１の燃焼室１２への燃料の所定の流出を可能としている。
【００２６】
ボルト打込装置１の制御装置２０は、装置電子回路３２を備える。この装置電子回路は、燃料容器８または３８のハウジング２８のハウジング内室における電子システム３４と接続されている。ハウジング２８の内部の電子システム３４は、センサ装置３５を備える。このセンサ装置は、ハウジング２８における燃料の状態変数を検出する。
【００２７】
電子システム３４は、好ましくは複数のセンサもしくは信号生成器を備え、これらは特に、ハウジング２８での温度、圧力および／または燃料の混合比を検出する。この電子システム３４は、さらに、好ましくは記憶ユニットを有するマイクロコントローラを備える。このマイクロコントローラによって、センサデータが受信され、処理／およびまたは記憶される。さらにこの電子システム３４は、装置電子回路３２とのデータ交換を可能とする通信インタフェースを備える。
【００２８】
図２の接続線３６は、装置電子回路３２が、接続ケーブルもしくは伝送ケーブルを介して、燃料容器８のハウジング２８における電子システムに接続されていることを示している。なお、センサ装置３５のみがハウジング２８の内部に配設されることも可能である。
【００２９】
電子システム３４は、ハウジング２８の外側に取り付けられてもよい。この場合、センサ装置３５が電子システム３４と無線で接続されると有利である。外側に取り付けられた電子システム３４は、伝送ケーブルまたは接続ケーブルを介して、ボルト打込装置１の装置電子回路３２と接続されている。
【００３０】
図３に示す実施形態例では、双方向矢印３７は、ハウジング２８内部の電子システム３４が、無線通信を介して、ボルト打込装置１の装置電子回路３２と接続可能かもしくは接続されていることを示している。この無線接続は、接続ケーブルまたは伝送ケーブルを導入するための、ハウジング２８の貫通孔が不要になるという利点を有する。
【図１】
2014519990.tif 000003
【図２】
2014519990.tif 000004
【図３】
2014519990.tif 000005
【国際調査報告】
2014519990.tif 000006
2014519990.tif 000007
2014519990.tif 000008
2014519990.tif 000009
2014519990.tif 000010
2014519990.tif 000011